(57)【要約】【課題】使用者に対する虫の接触を防止できる送風装置を提供する。【解決手段】空気の流入口２０及び吹出口５を開口して送風機１０を内装する筐体２と、流入口２０を覆って筐体２に着脱可能に取り付けられるとともに空気の吸込口４を開口するカバー部材３と、筐体２とカバー部材３との間の空間内に着脱可能に設置されるとともに一面に粘着面５１ａを有して虫を捕獲する捕虫シート５１と、所定の虫を誘引する周波数の音を出力するスピーカ３９とを備えた。【選択図】図２
2017216971.tif 000002
【特許請求の範囲】
【請求項１】
空気の流入口及び吹出口を開口して送風機を内装する筐体と、前記流入口を覆って前記筐体に着脱可能に取り付けられるとともに空気の吸込口を開口するカバー部材と、前記筐体と前記カバー部材との間の空間内に着脱可能に設置されるとともに一面に粘着面を有して虫を捕獲する捕虫シートと、所定の虫を誘引する周波数の音を出力するスピーカとを備えたことを特徴とする送風装置。
【請求項２】
人体を検出する人感センサを備え、
人体を検出した時の前記スピーカの音量が検出しない時よりも小さいことを特徴とする請求項１に記載の送風装置。
【請求項３】
所定の風量で前記送風機を駆動する昼間モードと、前記昼間モードよりも低い風量で前記送風機を駆動する夜間モードとを備え、
前記夜間モードの前記スピーカの音量が前記昼間モードの時よりも小さいことを特徴とする請求項１又は２に記載の送風装置。
【請求項４】
マイクを有して所定の羽音を検知する羽音検知部を備え、
前記昼間モード時に前記羽音検知部により羽音を検知した時の前記送風機の風量が検知しない時の風量よりも大きく、前記夜間モード時に前記羽音検知部により羽音を検知しても前記送風機の風量を変化させないことを特徴とする請求項３に記載の送風装置。
【請求項５】
マイクを有して所定の羽音を検知する羽音検知部を備え、
前記羽音検知部により羽音を検知した時の前記送風機の風量が検知しない時の風量よりも大きいことを特徴とする請求項１又は２に記載の送風装置。
【請求項６】
マイクを有して所定の羽音を検知する羽音検知部と、紫外線を出射して虫を誘引する誘引灯とを備え、
前記羽音検知部により羽音を検知した時の前記誘引灯の光量が検知しない時の光量よりも大きいことを特徴とする請求項１〜３のいずれかに記載の送風装置。
【請求項７】
周囲の明るさを検知する照度センサを備え、周囲の明るさが所定値よりも低くなると前記誘引灯の光量を増加させることを特徴とする請求項６に記載の送風装置。
【請求項８】
前記羽音検知部により複数種の虫の羽音を検知することを特徴とする請求項４〜７のいずれかに記載の送風装置。
【発明の詳細な説明】
【技術分野】
【０００１】
本発明は捕虫機能を有する送風装置に関する。
【背景技術】
【０００２】
特許文献１には従来の送風装置が開示されている。この送風装置は空気の流入口及び吹出口をそれぞれ背面及び上面に開口した筐体を有する。筐体は室内の床面等に設置され、送風機を内装する。流入口には空気中の塵埃を捕集するフィルタが配される。筐体の背面側には流入口を覆うカバー部材が筐体に対して着脱可能に取り付けられる。カバー部材は空気の吸込口を複数開口している。
【０００３】
上記構成の送風装置において、運転が開始されると、送風機が駆動されて吸込口から空気が吸い込まれる。吸込口から吸い込まれた空気は流入口に流入し、フィルタにより塵埃が捕集された後に吹出口から外部へ送出される。これにより、室内の空気を循環させるとともに、清浄することができる。
【０００４】
近年、蚊等の虫を媒介とする感染症の予防に対する市場要求が高くなっている。このため、特許文献２には車両の車室内に配されたスピーカから虫の撃退音を発生する音響装置が開示されている。使用者は車室内のスピーカの近傍に着座するため、撃退音により使用者に対する虫の接近を防止することができる。
【先行技術文献】
【特許文献】
【０００５】
【特許文献１】特開２００９−６６４６６号公報
【特許文献２】特開２０１４−３６５９７号公報
【発明の概要】
【発明が解決しようとする課題】
【０００６】
上記特許文献２と同様に送風装置にスピーカを設けて虫の撃退音を発生することにより、虫の接近を防止することができる。しかしながら、送風装置は屋内の居室内に配され、使用者は送風装置から離れている場合が多くなる。このため、居室内の送風装置から離れた使用者に対する虫の接触を防止できない問題があった。
【０００７】
本発明は、使用者に対する虫の接触を防止できる送風装置を提供することを目的とする。
【課題を解決するための手段】
【０００８】
上記目的を達成するために本発明は、空気の流入口及び吹出口を開口して送風機を内装する筐体と、前記流入口を覆って前記筐体に着脱可能に取り付けられるとともに空気の吸込口を開口するカバー部材と、前記筐体と前記カバー部材との間の空間内に着脱可能に設置されるとともに一面に粘着面を有して虫を捕獲する捕虫シートと、所定の虫を誘引する周波数の音を出力するスピーカとを備えたことを特徴とする。
【０００９】
また本発明は、上記構成の送風装置において、人体を検出する人感センサを備え、人体を検出した時の前記スピーカの音量が検出しない時よりも小さいことを特徴とする。
【００１０】
また本発明は、上記構成の送風装置において、所定の風量で前記送風機を駆動する昼間モードと、前記昼間モードよりも低い風量で前記送風機を駆動する夜間モードとを備え、前記夜間モードの前記スピーカの音量が前記昼間モードの時よりも小さいことを特徴とする。
【００１１】
また本発明は、上記構成の送風装置において、マイクを有して所定の羽音を検知する羽音検知部を備え、前記昼間モード時に前記羽音検知部により羽音を検知した時の前記送風機の風量が検知しない時の風量よりも大きく、前記夜間モード時に前記羽音検知部により羽音を検知しても前記送風機の風量を変化させないことを特徴とする。
【００１２】
また本発明は、上記構成の送風装置において、マイクを有して所定の羽音を検知する羽音検知部を備え、前記羽音検知部により羽音を検知した時の前記送風機の風量が検知しない時の風量よりも大きいことを特徴とする。
【００１３】
また本発明は、上記構成の送風装置において、マイクを有して所定の羽音を検知する羽音検知部と、紫外線を出射して虫を誘引する誘引灯とを備え、前記羽音検知部により羽音を検知した時の前記誘引灯の光量が検知しない時の光量よりも大きいことを特徴とする。
【００１４】
また本発明は、上記構成の送風装置において、周囲の明るさを検知する照度センサを備え、周囲の明るさが所定値よりも低くなると前記誘引灯の光量を増加させることを特徴とする。
【００１５】
また本発明は、上記構成の送風装置において、前記羽音検知部により複数種の虫の羽音を検知することを特徴とする。
【発明の効果】
【００１６】
本発明によると、粘着面を有した捕虫シートと、所定の虫を誘引する周波数の音を出力するスピーカとを備える。これにより、室内の虫がスピーカにより送風装置に引き寄せられて捕虫シートにより捕獲される。したがって、室内の使用者と虫との接触を防止することができる。
【図面の簡単な説明】
【００１７】
【図１】本発明の第１実施形態の送風装置を示す斜視図
【図２】本発明の第１実施形態の送風装置を示す側面断面図
【図３】本発明の第１実施形態の送風装置を示す背面断面図
【図４】本発明の第１実施形態の送風装置のカバー部材を示す斜視図
【図５】本発明の第１実施形態の送風装置の制御ブロックを示す
【図６】本発明の第２実施形態の送風装置を示す側面断面図
【図７】本発明の第３実施形態の送風装置を示す側面断面図
【発明を実施するための形態】
【００１８】
＜第１実施形態＞
以下に図面を参照して本発明の実施形態を説明する。図１及び図２は第１実施形態の送風装置のそれぞれ斜視図及び側面断面図を示している。なお、図１及び図２において白抜きの矢印は空気の流れを示している。送風装置１は居室内の床面等に設置されて水平断面形状が略楕円形の筐体２を有している。筐体２の背面側には着脱可能なカバー部材３が取り付けられている。
【００１９】
筐体２の上面の周縁部には透明な樹脂から成るスリーブ部１２が設けられる。筐体２の上面前部には操作部６が設けられる。操作部６は複数のボタン（不図示）を有し、使用者の操作によって送風装置１の動作設定を行う。各ボタンの操作によって送風装置１の駆動オンオフ、送風機１０の風量の変更、イオン発生装置１１のオンオフ等を指示することができる。また、所定のボタンの操作によって昼間モードと夜間モードとを切り替えることができる。昼間モードは所定の風量で送風機１０を駆動し、夜間モードは昼間モードよりも低い風量で送風機１０を駆動する。
【００２０】
操作部６の下方にはマイク４０が設けられる。マイク４０は送風装置１の近傍の音を集音し、集音された音は後述する羽音検知部４３（図５参照）により所定の処理が行われる。操作部６の前方の筐体２の前壁には人体を検知する赤外線センサ等の人感センサ４２が設けられる。人感センサ４２の下方には周囲の明るさを検知する照度センサ４１が設けられる。
【００２１】
筐体２の背面及び上面にはそれぞれ流入口２０及び吹出口５が開口している。吹出口５の中央部には上方に向かって突出する突出板１３が設けられる。カバー部材３には複数の吸込口４が開口し、カバー部材３と筐体２の背面との間には吸込口４と流入口２０とを連通させる捕虫空間２５が形成される。捕虫空間２５に面した筐体２の背面２ａは黒色に形成される。
【００２２】
筐体２内には流入口２０と吹出口５とを連結する送風通路７が設けられる。送風通路７内には流入口２０から吹出口５に向かって（気流の上流から下流に向かって）順にプレフィルタ８、ＨＥＰＡフィルタ９、送風機１０及びイオン発生装置１１が設けられる。
【００２３】
送風機１０はモータ１０ａにより駆動されるシロッコファンにより形成され、軸方向に吸気して周方向に排気する。プレフィルタ８はＡＢＳ等の合成樹脂で形成された複数段複数列の窓を有する矩形の枠にポリプロピレン製のメッシュを溶着して形成される。メッシュの目の大きさは蚊やハエ等の虫が通過できない大きさに形成される。プレフィルタ８によって空気中の大きな塵埃を捕集することができる。
【００２４】
ＨＥＰＡフィルタ９は濾材９ａを覆うように枠材９ｂがホットメルトにより溶着されている。ＨＥＰＡフィルタ９によって、所定粒径（例えば３μｍ）よりも小さい粒径のＰＭ２．５等の微小粒子状物質を含む空気中の微細な塵埃を捕集することができる。
【００２５】
なお、活性炭等の吸着材を有する脱臭フィルタをプレフィルタ８とＨＥＰＡフィルタ９との間に配置してもよい。これにより、空気中の臭気成分を吸着して空気を脱臭することができる。
【００２６】
イオン発生装置１１は高圧電圧の印加によりイオンを発生する電極（不図示）を有し、電極は送風通路７内に面している。電極には交流波形またはインパルス波形から成る電圧が印加される。電極の印加電圧が正電圧の場合は主としてＨ＋（Ｈ２Ｏ）ｍから成るプラスイオンを発生し、負電圧の場合は主としてＯ２−（Ｈ２Ｏ）ｎから成るマイナスイオンを発生する。ここで、ｍ、ｎは整数である。Ｈ＋（Ｈ２Ｏ）ｍ及びＯ２−（Ｈ２Ｏ）ｎは空気中の浮遊菌や臭気成分の表面で凝集してこれらを取り囲む。
【００２７】
そして、式（１）〜（３）に示すように、衝突により活性種である［・ＯＨ］（水酸基ラジカル）やＨ２Ｏ２（過酸化水素）を微生物等の表面上で凝集生成して浮遊菌等を破壊する。ここで、ｍ’、ｎ’は整数である。したがって、プラスイオン及びマイナスイオンを発生して吹出口５から送出することにより居室内の除菌及び臭い除去を行うことができる。
【００２８】
Ｈ＋(Ｈ２Ｏ)ｍ＋Ｏ２−(Ｈ２Ｏ)ｎ→・ＯＨ＋1/2Ｏ２＋(ｍ＋ｎ)Ｈ２Ｏ ・・・（１）
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→ 2・ＯＨ＋Ｏ２＋(ｍ＋ｍ'＋ｎ＋ｎ')Ｈ２Ｏ ・・・（２）
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→ Ｈ２Ｏ２＋Ｏ２＋(ｍ＋ｍ'＋ｎ＋ｎ')Ｈ２Ｏ ・・・（３）
【００２９】
また、プラスイオン及びマイナスイオンが使用者の肌に接触すると、肌に水酸基（ＯＨ基）が付着して肌表面が親水化される。これにより、肌表面に水分子が付着しやすくなり、肌に潤いを与えることができる。
【００３０】
図３は送風装置１の筐体２の上部の背面断面図を示している。筐体２の背面上部には流入口２０に対して外側（カバー部材３側）に突出した突出部２８が設けられる。突出部２８は左右方向に延びて形成され、突出部２８の下面の左右方向の中央部には凹部２８ａが凹設される。
【００３１】
凹部２８ａ内の左右端部にはそれぞれ出射面（不図示）が斜め下方を向くように誘引灯２１が配される。これにより、誘引灯２１は捕虫空間２５の上部に面してカバー部材３の吸込口４の上方に配置される。誘引灯２１は、蚊等の虫を誘引する約３６５ｎｍの紫外線を出射する紫外線発光ダイオード（不図示）を有する。
【００３２】
凹部２８ａの左右方向の中央部には両面に反射面６１ａが形成された板状の反射部６１が垂設される。反射面６１ａはシボ加工され、誘引灯２１の出射面から出射された光Ｐ１は反射面６１ａで拡散反射する。反射面６１ａで拡散反射した光Ｐ２は捕虫空間２５内を照射するとともに吸込口４を介して居室内に出射される。これにより、使用者が誘引灯２１を直視することを防止することができる。
【００３３】
照度センサ４１の検知結果に基づき、周囲の明るさが所定値よりも低くなると誘引灯２１の光量が増加する。これにより、蚊等の虫の活動が活発になる夕方に周囲が少し暗くなると、誘引灯２１の光量が増加され、多くの虫を誘引することができる。また、周囲が明るい時は誘引灯２１の光量を小さくして省電力化を図ることができる。なお、誘引灯２１を消灯し、周囲の明るさが所定値よりも低くなると点灯してもよい。
【００３４】
誘引灯２１の近傍にはスピーカ３９が設けられる。スピーカ３９は人体から吸血するメスの蚊が好む周波数（略４００Ｈｚ）の音を出力する。
【００３５】
図４はカバー部材３を内側（筐体２側）から見た斜視図を示している。カバー部材３は筐体２に設けられた係合孔（不図示）に係合する係合爪（不図示）を有する。これにより、カバー部材３は筐体２に対して着脱可能に取り付けられる。カバー部材３は後方に凸になるように湾曲し、左右の両端部にはそれぞれ複数（本実施形態では５個）の吸込口４が上下に並設される。なお、吸込口４は１個でもよい。
【００３６】
カバー部材３の内面３ａには捕虫シート５１が配される。捕虫シート５１はカバー部材３の四隅に突設された係合部５５に孔部５１ｂを係合して装着される。捕虫シート５１は筐体２側の一面に例えばアクリル系の粘着剤を設けた粘着面５１ａを有している。
【００３７】
また、カバー部材３の内面３ａには虫を誘引する臭気物質を発生するニオイ発生部７０が設けられる。臭気物質に特に限定はないが、例えば乳酸を挙げることができる。乳酸により蚊を容易に誘引することができる。なお、ニオイ発生部７０の設置場所は捕虫空間２５内であれば、カバー部材３の内面に限定されず筐体２の背面２ａに設けてもよい。
【００３８】
図５は送風装置１の構成を示すブロック図である。送風装置１は各部を制御する制御部１００を有している。制御部１００には羽音検知部４３、記憶部４４、操作部６、送風機１０、イオン発生装置１１、誘引灯２１、スピーカ３９、照度センサ４１、人感センサ４２が接続される。
【００３９】
羽音検知部４３はマイク４０により送風装置１の周囲の音を集音し、例えば略３００〜６００Ｈｚの周波数の帯域の音を判別して複数種類の蚊の羽音を検知する。具体的にはコガタアカイエカの羽音は３８０Ｈｚ近傍、シナハマダラカの羽音は３４０Ｈｚ近傍、ヒトスジシマカの羽音は５１２Ｈｚ近傍である。
【００４０】
記憶部４４は送風装置１の制御プログラムを格納するとともに、制御部１００による演算結果等を記憶する。
【００４１】
上記構成の送風装置１において、操作部６の操作により送風装置１の運転が指示されると、送風機１０が駆動される。送風機１０の駆動により、吸込口４を介して居室内の空気が捕虫空間２５内に流入する。
【００４２】
また、スピーカ３９から蚊を誘引する周波数の音が出力され、照度センサ４１の検知結果に基づいて誘引灯２１が点灯される。誘引灯２１の出射光は反射面６１ａにより吸込口４に向けて拡散反射する。これにより、吸込口４を介して虫を捕虫空間２５に誘引し、捕虫シート５１により捕獲することができる。
【００４３】
なお、複数種類の蚊に対応してスピーカ３９から出力される音の周波数を操作部６により変更することができる。また、複数種類の蚊に対応して複数の周波数の音を順に繰り返してスピーカ３９から出力してもよく、複数の周波数の音を合成してスピーカ３９から出力してもよい。
【００４４】
この時、人感センサ４２により人体を検出した時に、検出しない時よりもスピーカ３９の音量を小さくしている。スピーカ３９から出力される音は可聴音であるため、スピーカ３９の音量を小さくすることにより使用者の不快感を低減することができる。なお、人体を検出した時にスピーカ３９を消音してもよい。
【００４５】
また、夜間モードが設定されている場合に、昼間モード時よりもスピーカ３９の音量を小さくしている。これにより、使用者の就寝時に設定される夜間モード時のスピーカ３９の音による睡眠妨害を防止できる。夜間モード時にスピーカ３９を消音してもよい。
【００４６】
また、蚊等の虫は黒色を好むことが知られている。筐体２の背面（捕虫空間２５に面した領域）を黒色に形成しているため、カバー部材３の近傍に誘引された虫を吸込口４を介して容易に捕虫空間２５に誘引することができる。また、捕虫シート５１を黒色に形成しているため、捕虫空間２５に進入した虫は捕虫シート５１に容易に誘引されて捕獲される。
【００４７】
捕虫空間２５に流入した空気は筐体２の流入口２０から送風通路７に流入する。この時、プレフィルタ８により空気中の大きな塵埃が捕集される。また、ＨＥＰＡフィルタ９によりＰＭ２．５等を含む空気中の微細な塵埃が捕集される。送風機１０の排気側の送風通路７内を流通する空気にはイオン発生装置１１で発生したイオンが含まれる。塵埃が捕集されてイオンを含む空気は吹出口５から送出される。これにより、居室内の空気を循環させるとともに清浄することができる。
【００４８】
送風装置１の駆動により送風装置１に蚊が誘引されると、蚊の羽音が羽音検知部４３により検知される。この時、蚊の羽音を検知しない時よりも誘引灯２１の光量を大きくし、送風機１０の風量を大きくする。これにより、送風装置１に接近した蚊が捕虫空間２５内で点灯する誘引灯２１によって捕虫空間２５により誘引されやすくなる。また、送風装置１に接近した蚊が吸込口４から吸い込まれる風量の増加によって確実に捕虫空間２５内に吸い込まれる。これにより、捕虫シート５１によってより多くの蚊を捕獲することができる
【００４９】
この時、夜間モードが設定されている場合は、羽音検知部４３が蚊の羽音を検知しても送風機１０の風量を変化させないようにしてもよい。これにより、使用者の就寝時の送風機１０の騒音による睡眠妨害を防止できる。
【００５０】
本実施形態によると、粘着面５１ａを有した捕虫シート５１と、所定の蚊を誘引する周波数の音を出力するスピーカ３９とを備える。これにより、室内の蚊がスピーカ３９により送風装置１に引き寄せられて捕虫シート５１により捕獲される。したがって、室内の使用者と虫との接触を防止することができる。なお、スピーカ３９から蚊を誘引する音を出力しているが、ハエ等のその他の虫を誘引する周波数の音をスピーカ３９から出力してもよい。
【００５１】
また、人感センサ４２により人体を検出した時のスピーカ３９の音量が検出しない時よりも小さくしているので、スピーカ３９から出力される可聴音による使用者の不快感を低減することができる。
【００５２】
また、夜間モード時のスピーカ３９の音量を昼間モード時よりも小さくしているので、就寝時のスピーカ３９の音による睡眠妨害を防止することができる。
【００５３】
また、羽音検知部４３により羽音を検知した時に検知しない時よりも送風機１０の風量を大きくしたので、送風装置１に接近した虫を確実に捕虫空間２５内に吸引することができる。
【００５４】
また、夜間モード時に羽音検知部４３により羽音を検知しても送風機１０の風量を変化させないようにすると、就寝時の送風機１０の騒音による睡眠妨害を防止することができる。
【００５５】
また、羽音検知部４３により羽音を検知した時に検知しない時よりも誘引灯２１の光量を大きくしたので、送風装置１に接近したより多くの虫を捕虫空間２５内に誘引することができる。
【００５６】
また、羽音検知部４３により複数種の虫の羽音を検知するので、使用者と虫との接触をより確実に防止できる。
【００５７】
また、照度センサ４１により検知した周囲の明るさが所定値よりも低くなると誘引灯２１の光量を増加させる。これにより、蚊等の虫の活動が活発になる夕方になるまで誘引灯２１の光量を小さくして消費電力を抑制することができる。
【００５８】
＜第２実施形態＞
次に、本発明の第２実施形態について説明する。図６は第２実施形態の送風装置１の側面断面図を示している。説明の便宜上、前述の図１〜図５に示した第１実施形態と同様の部分には同一の符号を付している。本実施形態では、捕虫シート５１が投光性を有し、照度センサ４５が設けられる。その他の部分は第１実施形態と同様である。
【００５９】
カバー部材３の内面３ａには照度センサ４５が設けられる。これにより、照度センサ４５は捕虫シート５１よりもカバー部材３の内面側に配される。照度センサ４５は投光性の捕虫シート５１を介して誘引灯２１の光Ｐ３を検知する。
【００６０】
捕虫シート５１が使用により所定の捕虫量に到達すると、捕虫シート５１を通過した誘引灯２１の光Ｐ３が所定値よりも低くなる。これにより、捕虫シート５１の交換時期と判断し、操作部６に設けたＬＥＤ等の報知灯（不図示）により報知する。このため、使用者は捕虫シート５１の交換時期を容易に把握することができる。
【００６１】
本実施形態によると、第１実施形態と同様の効果を奏することができる。また、透光性の捕虫シート５１を介して誘引灯２１の光Ｐ３を検知する照度センサ４５を設けたので、捕虫シート５１の交換時期を容易に把握することができる。したがって、送風装置１の利便性を向上することができる。
【００６２】
＜第３実施形態＞
次に、本発明の第３実施形態について説明する。図７は第３実施形態の送風装置１の側面断面図を示している。説明の便宜上、前述の図１〜図６に示した第１、第２実施形態と同様の部分には同一の符号を付している。本実施形態は、捕虫シート５１が拡散反射性を有し、照度センサ４５の配置が第２実施形態と異なる。その他の部分は第２実施形態と同様である。
【００６３】
筐体２の背面２ａには照度センサ４５が設けられる。これにより、照度センサ４５は捕虫シート５１よりも筐体２側に配される。照度センサ４５は拡散反射性の捕虫シート５１で反射した誘引灯２１の光Ｐ４を検知する。なお、捕虫シート５１で反射せずに誘引灯２１から直接入射される光を防ぐために、照度センサ４５の上方に上壁を設けてもよい。
【００６４】
捕虫シート５１が使用により所定の捕虫量に到達すると、捕虫シート５１を反射した誘引灯２１の光Ｐ４が所定値よりも低くなる。これにより、捕虫シート５１の交換時期と判断し、操作部６に設けたＬＥＤ等の報知灯（不図示）により報知する。このため、使用者は捕虫シート５１の交換時期を容易に把握することができる。
【００６５】
本実施形態によると、第１実施形態と同様の効果を奏することができる。また、光反射性の捕虫シート５１の反射により誘引灯２１の光Ｐ４を検知する照度センサ４５を設けたので、捕虫シート５１の交換時期を容易に把握することができる。したがって、送風装置１の利便性を向上することができる。
【産業上の利用可能性】
【００６６】
本発明は捕虫機能を有する送風装置に利用することができる。
【符号の説明】
【００６７】
１    送風装置
２    筐体
２ａ  背面
３    カバー部材
３ａ  内面
４    吸込口
５    吹出口
６    操作部
７    送風通路
８    プレフィルタ
９    ＨＥＰＡフィルタ
１０    送風機
１１    イオン発生装置
１２    スリーブ部
１３    突出板
２０    流入口
２１    誘引灯
２８    突出部
２８ａ  凹部
３９    スピーカ
４０    マイク
４１    照度センサ
４２    人感センサ
４３    羽音検知部
４４    記憶部
５１    捕虫シート
５１ａ  粘着面
５１ｂ  孔部
５５    係合部
６１    反射部
１００    制御部
【図１】
2017216971.tif 000003
【図２】
2017216971.tif 000004
【図３】
2017216971.tif 000005
【図４】
2017216971.tif 000006
【図５】
2017216971.tif 000007
【図６】
2017216971.tif 000008
【図７】
2017216971.tif 000009